(57)【要約】理美容師用の新規な人間工学的ワークステーションは、理美容師が、着座、起立しながら、又は膝を半分曲げた状態で快適に操作可能にし、筋骨格系に潜在的に有害な位置を回避する。本ワークステーションは、アームレスト付き背凭れに取着された高さ調節可能な自転車サドル型座部、及び理美容師が異なる作業領域に到達することを可能にする顧客の座部の基台を囲む回転要素を有する。本ワークステーションは、自然位置で伸長されるガスピストン等の昇降システムによって背凭れ組立体の高さを規定する手段を有し、その結果、理美容師の姿勢負荷を低減でき、該手段は、理美容師が、自分の手を使わずに、背凭れを圧下すると作動される。本ワークステーションは、構造体の安定性を向上させる少なくとも１個の回転支持体を有する。本ワークステーションは、椅子及びワークステーションの構築を専門とする工業部門を対象とする。【選択図】図３
2019526404.tif 000002
【特許請求の範囲】
【請求項１】
理美容師用の新規な運動補助付き人間工学的ワークステーションであって、
理髪作業者の作業空間を、該空間の垂直寸法と前記理髪作業者の水平方向の到達範囲両方において調節可能にし、前記理美容師が着座して、膝を曲げた状態で、又は起立して作業可能にすること；このために、前記ワークステーションは、サドル型座部（１０）及びアームレスト付き支持用背凭れ（１１）を有し、前記座部（１０）と前記背凭れ（１１）の両方は、フレーム（４）の垂直部に結合され、前記垂直部の側面図は、略直角を含む形状を有し、床と平行な水平部分は、該部分の回動要素（３）に対する自由端で、前記回動要素（３）に取付要素（５）で、両要素間に従来のトルクを有した状態で、固定されること；前記回動要素は、前記顧客用椅子（１）の前記基台（２）を囲み、螺着されるクランプ継手等の従来の手段によって固定されること；前記フレームの前記水平部の長さは、同心ロッドの伸縮可能な管状構造体（６）を使用する等、従来の手段によって、前記理美容師の要求に応じて、変えられること；前記座部及び背凭れの高さは、前記座部下にある前記フレームの前記垂直部分に配置されたガスピストン等、従来の昇降システム（８）によって調節され、該昇降システムは、該システムの弁の非動作時には、自然な伸長位置にあり、前記昇降システムは、前記理美容師が前記背凭れを傾斜させるように僅かに運動すると、起動され、そのため自分の手を使う必要なく、この動きが、前記ピストンの起動、及びその結果としての、一組のレバーから成る起動システム（９）を通した前記座部／背凭れ組立体の降下を命令すること；前記ワークステーションは、前記フレーム（４）の前記水平部に配置される回転支持体（７）として、少なくとも１個のキャスタ車輪を有する
ことを特徴とするワークステーション。
【発明の詳細な説明】
【技術分野】
【０００１】
本発明は、業務用家具製造産業、特に、ワークステーション及び椅子の構築を専門とする工業部門を対象とする。
【背景技術】
【０００２】
今日では、理美容師等特定の専門家の作業を容易にするためのシステムが存在している。そうした専門家らは、作業の性質から、長時間に亘り、筋骨格系に潜在的に有害な運動を行ったり、姿勢を取ったりする必要があり、多くの人々が、そうした運動や姿勢によって生じる問題を抱えている。そのため、作業補助装置（Ｗｏｒｋ  Ａｓｓｉｓｔｉｎｇ  Ｄｅｖｉｃｅ）と題する日本国特許出願第２００６−３４５８７９号（特許文献１）等の特許が知られており、特許文献１では、天井から吊設され、作業者が座る椅子を含むハーネスに剛接合され、作業者を椅子にしっかりと固定するためにベルト等の従来の手段を用いる装置について記載している。該特許に記載された発明は、天井に固定するための構造体の必要性を含む複雑な設備を必要とし、明らかに、そうした複雑さが原因で、オペレータの作業を制限する。従って提案する本発明とは異なる。
【０００３】
理髪師の作業用椅子（Ｂａｒｂｅｒ’ｓ  ｗｏｒｋｉｎｇ  ｃｈａｉｒ）と題する中国実用新案第８７２０４９００Ｕ号（特許文献２）では、理髪師が臀部用支持要素及び脛を支持する別の要素上に着座する理髪師用椅子の他、顧客用椅子周りの円運動を可能にするレールの複雑なシステムについて記載している。これらのレールは、椅子及びレールの適切な清掃を妨げもする、というのも散髪中、床が髪で覆われるようになることは周知であるからである。さらに、このシステムは、極めて複雑であり、それと同時に、その費用が高いために機械的に実装するのが困難であり、また、理美容師に殆ど操縦する余地を与えず、従って、非実用的である。この発明では、椅子のユーザは、必ず着座したまま作業しなければならず、作業者が起立して作業を行うのに特定の技術が求められるため、作業を妨げたり、遅らせたりもする。そのため、この種の発明は、知られていない。
【先行技術文献】
【特許文献】
【０００４】
【特許文献１】日本国特許出願第２００６−３４５８７９号
【特許文献２】中国実用新案第８７２０４９００Ｕ号
【発明の概要】
【発明が解決しようとする課題】
【０００５】
理髪及び美容分野等で働く者、とりわけ、その活動の性質上、作業の進行中に、潜在的に筋骨格系に有害な位置のままでいなければならない作業者に、座位と立位の両方で、又は膝を曲げた状態でも、快適に作業可能にして、これらの仕事に関連する姿勢ストレスを軽減させるワークステーションを提供することを目的とする。従って、本発明は、装置のユーザに運動の自由を与え、作業者を縛着や締着することなく、座位での作業、膝を曲げた状態での作業及び立位での作業を可能にする一方で、既存の技術において知られる複雑な装置及び設備を回避する、容易に実装される技術的解決方法を提供しなくてはならない。また、手を使用すると理美容師の作業を制限してしまうため、自分の手を使う必要なしに、理美容師の移動を可能にし、姿勢の快適さを向上する解決方法を、提案することも重要である。
【課題を解決するための手段】
【０００６】
本発明は、理美容師の異なる体の大きさや効率的な作業のための自然な位置を考慮しなければならないため、本発明は、作業面の最適な高さ及び水平面における到達可能範囲を調節すると共に、顧客の周りの滑らかな回動運動を可能にする手段を有する。このようにして、この新規なワークステーションは、理美容師が快適さに関して最適な状態で作業することを可能にする。該ワークステーションは、自転車で使用されるのと同様なサドル状の座部を有し、それにより理美容師は、該座部に着座できるだけでなく、座部に妨害されることなく起立もでき、必要に応じて、座部を付加的な支持体として使用することもできる。また、本発明は、従来の手段によって高さを調節できるアームレスト付き背凭れも有する。サドル型座部が使用されることで、理美容師の脚に、従来の椅子では提供されない自由度がもたらされる。
【０００７】
顧客の頭との関係で作業領域を調節するように理美容師の高さを規定することを、座部を上昇又は下降するためにピストン等の従来の昇降システム等の手段を有する本発明の構造体又はフレームによって実行する。このピストンの自然位置は、伸長するようになっているため、理美容師による加圧がピストンの力より弱いと、長くなる傾向があり、それにより、理美容師が自分の位置を上昇させたい場合に、ピストンの力がその運動を助け、ピストンの作用が無い場合に行われる筋肉運動より軽くなる。ピストンの力を理美容師の体重と一致させるのに、ピストンが調節可能であるバージョンが想定される。背凭れは、僅かに傾斜でき、昇降シリンダ付き事務椅子で使用されるようなレバーシステムから成る起動システム等のピストン弁を起動する従来の手段を有する。従って、既に記載したものと関連して、理美容師が自分の位置を低くしたい場合には、背凭れに凭れ掛かり、背凭れを傾斜させる。この動作によりピストン弁が起動し、座部及び背凭れの降下が可能になる。強調すべき点は、このようにピストン駆動部に作用することによって、理美容師が自分の手を使用せず、作業を複雑化する又は減速させる虞のある操作によって制約されずに作業することが可能になるという点である。
【０００８】
座部と背凭れは、好適には管状であるフレームに組込まれる。このフレームは、準直交形状の側面図を有し、垂直部分では、理美容師の座部及び背凭れが固定され、床に平行な水平部分では、取付点（ｐｏｉｎｔ  ｏｆ  ａｎｃｈｏｒａｇｅ）があり、顧客用椅子周りに回動する。水平部分の長さは、同心の伸縮可能なロッドのシステム又はリニア軸受を使用して管状システムを摺動する等の既知の方法を使用して、理美容師の作業位置に合うように調節できる。フレームの水平部分の自由な遠位端は、顧客用椅子の基台周りを回動する要素に固定され、従って、フレーム、また同様に作業者のステーションを、理美容師が自分の自然な作業空間で快適に作業可能なものにできる。理美容師は、手動で顧客用椅子周りに構造体を回動させ、更なる機械的作用は、不要である。
【０００９】
フレームの水平部分は、床に接触する少なくとも１個の回転要素を有し、該回転要素は、組立体に支持を与え、組立体を頑丈に且つ一層安定したものにする。
【００１０】
本明細書（ｒｅｐｏｒｔ）に記載された全事項について理解を容易にするために、図面が含まれるが、図面では、提案された本発明の図の一覧が、一例として示される。
【図面の簡単な説明】
【００１１】
【図１】ワークステーションの等角図
【図２】理美容師が起立した状態で、最高位置にあるワークステーションの側面図
【図３】理美容師が脚を半分が曲げた位置にあるワークステーションの側面図
【図４】伸縮可能な管状構造体（６）が伸長した状態でのワークステーションの側面図。取付装置（ａｎｃｈｏｒａｇｅ）（５）も視認できる。ワークステーションは、座部／背凭れ組立体が最低位置にある状態で、顧客用椅子から離隔している。
【図５】伸縮可能な管状構造体（６）が引込まれ、座部／背凭れ組立体が最高位置にある状態のワークステーションの側面図
【図６】理美容師が背凭れに凭れ掛かり、昇降システムの作動システム（９）を起動しているワークステーションの側面図
【発明を実施するための形態】
【００１２】
一例として、本発明の好適な実施形態を記載する。該実施形態では、その製造に使用される材料及び使用方法及び本発明の本質に影響を与えない付属的に生じる細部は、本発明の目的とは無関係である。
【００１３】
理美容師用の新規な運動補助付き人間工学的ワークステーションの一好適実施形態は、サドル型座部（１０）及びアームレスト付き支持用背凭れ（１１）がフレーム（４）の垂直部に結合され、該垂直部の側面図は、直角形状を有し、床と平行な水平部分が、その自由端で回動要素（３）に取付装置（５）で、両要素間に従来のトルクを有して、固定された状態で、提案される。回動要素は、顧客用椅子（１）の基台（２）を囲み、該基台に、螺着されるクランプ継手等の従来の手段によって固定される。
【００１４】
フレームの水平部の長さは、同心ロッドを有する伸縮可能な管状構造体（６）を使用する等、従来の手段によって、理美容師の作業位置を調節するために、変えられる。
【００１５】
座部／背凭れ組立体の高さは、ガスピストン等、従来の昇降システム（８）で調節され、該昇降システムは、座部下のフレームの垂直部分に配置され、弁の非動作時には、自然な伸長位置にあり、理美容師による加圧が、ピストンの力より弱いと、長くなる傾向がある。理美容師が自分の位置を低くしたい場合、理美容師は、背凭れを傾斜させるように運動し、それにより背凭れをピストン作動弁に結合する一組のレバーから成る起動システム（９）を通して弁を起動するように命令することによって、ピストン弁を起動させて、座部／背凭れ組立体を降下させる。
【００１６】
ワークステーションは、フレームの水平部に配置されるキャスタ車輪として少なくとも１個の回転支持体（７）を有する。
【符号の簡単な説明】
【００１７】
１    顧客用椅子
２    顧客用椅子の基台
３    回動要素
７    回転支持体
８    昇降システム
９    昇降システム起動システム
１０  座部
１１  背凭れ
【図１】
2019526404.tif 000003
【図２】
2019526404.tif 000004
【図３】
2019526404.tif 000005
【図４】
2019526404.tif 000006
【図５】
2019526404.tif 000007
【図６】
2019526404.tif 000008
【国際調査報告】
2019526404.tif 000009
2019526404.tif 000010
2019526404.tif 000011
2019526404.tif 000012
2019526404.tif 000013
2019526404.tif 000014
2019526404.tif 000015
2019526404.tif 000016